(57)【要約】      （修正有）【課題】水面域において収集した浮遊物が作業用舟艇の進路に影響を受けないようして作業効率低下を防止する、水面域の浮遊物を収集又は除去する方法、浮遊物除去装置を提供する。【解決手段】浮遊物除去装置１は、作業用舟艇の進行方向前方に配置される主フレーム２と、当該主フレームに備わる浮遊物収集具４と、を有し、前記浮遊物収集具は、水面域の浮遊物を取り込む開口部４０１を備える開口部枠を有する収集具フレームと、前記開口部枠の開口部から取り込まれた浮遊物を収集する収集ネットと、を有し、当該収集ネットは、前記開口部から入った浮遊物を捕集する捕集部４０２と、当該捕集部の中央部分に設けられている前記開口部より小さい開口部を取り入れ口として前記捕集部で捕集された浮遊物を取り入れて蓄積する蓄積部４０３と、を有し、前記浮遊物収集具は、前記捕集部で捕集された浮遊物を前記取り入れ口側に案内する誘導要素を備える。【選択図】図１
2014161288.tif 000002
【特許請求の範囲】
【請求項１】
作業用舟艇の進行方向前方に配置した収集ネットを含む浮遊物収集具を用いて行う、水面域の浮遊物を収集または除去する方法であって、
前記浮遊物収集具が、
水面域の浮遊物を取り込む開口部を備え、取り込んだ浮遊物を捕集する捕集部と、
当該捕集部の奥側中央部分に設けられている前記開口部より小さい開口部を取り入れ口として前記捕集部で捕集された浮遊物を取り入れて蓄積する蓄積部と、
前記捕集部で捕集された浮遊物を前記取り入れ口側に案内する誘導要素と、
を備えており、
前記作業用舟艇を作業水域で進行させ、当該水面域に存在する浮遊物を捕集部で捕集し、捕集された浮遊物が直接的にまたは誘導要素によって捕集部の中央部分に集まり、浮遊物が偏って蓄積されることなく捕集部の奥の取り入れ口から蓄積部に蓄積される、
水面域の浮遊物を収集又は除去する方法。
【請求項２】
水面域の浮遊物を除去する装置であって、
作業用舟艇の進行方向前方に配置される主フレームと、
当該主フレームに備わる浮遊物収集具と、
を有し、
前記浮遊物収集具は、
水面域の浮遊物を取り込む開口部を備える開口部枠を有する収集具フレームと、
前記開口部枠の開口部から取り込まれた浮遊物を収集する収集ネットと、
を有し、
当該収集ネットは、
前記開口部から入った浮遊物を捕集する捕集部と、
当該捕集部の中央部分に設けられている前記開口部より小さい開口部を取り入れ口として前記捕集部で捕集された浮遊物を取り入れて蓄積する蓄積部と、
を有し、
前記浮遊物収集具は、前記捕集部で捕集された浮遊物を前記取り入れ口側に案内する誘導要素を備える、
浮遊物除去装置。
【請求項３】
誘導要素が、収集具フレームにより張設された収集ネットの側壁である、
請求項２記載の浮遊物除去装置。
【請求項４】
浮遊物が海苔網を張って養殖している海面の浮遊物であり、主フレームには、進行方向前方の海苔網の上に乗り海苔網を水面下に沈める沈下部が備わる、
請求項２記載の浮遊物除去装置。
【請求項５】
主フレームが、
作業用舟艇側の基部フレームと、
当該基部フレームより進行方向前方でかつ下方に位置し、海苔網を水面下に沈める先部フレームと、
当該先部フレームと前記基部フレームの間に介在して前記先部フレームと前記基部フレームとを接続する中間部フレームと、
で構成され、
前記基部フレームは、作業用舟艇または作業用舟艇に搭載された海苔摘採装置への装着手段を有し、
前記先部フレームは、下面が海苔網の上を滑る滑走部と、当該滑走部後部から斜め後方に立ち上がって前記中間部フレームに向かう立ち上がり部と、
を有し、
前記先部フレームと中間部フレームは、折り曲げおよび真直できるように連結されており、
前記基部フレームと前記中間部フレームは、分離および連結できる、
請求項４記載の浮遊物除去装置。
【請求項６】
浮遊物収集具の沈下を防止する沈下防止フロートを備え、
当該沈下防止フロートは、
主フレーム側フロートと浮遊物収集具側フロートとで構成されており、
前記主フレーム側フロートは、主フレームに備わる主フレーム側ロッドに装着されており、
前記浮遊物収集具側フロートは、収集具フレームに備わる収集具フレーム側ロッドに装着されており、
主フレーム側ロッドおよび収集具フレーム側ロッドは、主フレームに対して上下方向の位置が調整できる、
請求項２または４記載の浮遊物除去装置。
【請求項７】
蓄積部のメッシュの大きさは、捕集部のメッシュの大きさよりも小さい、
請求項２ないし６のいずれかの一項に記載の浮遊物除去装置。
【発明の詳細な説明】
【技術分野】
【０００１】
本発明は、水面域の浮遊物を収集又は除去する方法、浮遊物除去装置に関するものである。更に詳しくは、海、湖沼又は河川等の水面又は水面近くの水中（以下「水面域」という。）に存在するゴミ等の浮遊物を収集するものに関する。
【背景技術】
【０００２】
一般的に、乾海苔は異物が混入していると不良品又は低等級品として取り扱われる。このため、海苔の養殖業者は、まず海苔原藻の摘採時に異物混入を防止すべく、例えば、特許文献１記載のような海上浮遊物混入排除装置を利用している。
【０００３】
前記特許文献１記載の装置は、
（１）海苔網ガイドの基端部を海苔摘み舟に揺動自在に取り付け、前記海苔網ガイドの先端部に、浮遊物除去羽根の高さ方向のほぼ中間部が喫水レベルに保たれるように機能するフロートを取り付け、
（２）前記浮遊物除去羽根により排除された浮遊物を収集するネットを浮遊物除去羽根の左右側に設け（特許文献１の図３及び図４参照）、
海苔網の引き上げ前に海苔網近くの浮遊物を収集し、摘採した海苔への異物混入防止を図るものである。
【先行技術文献】
【特許文献】
【０００４】
【特許文献１】特開平１１−２６６６５０号公報
【発明の開示】
【発明が解決しようとする課題】
【０００５】
一方、浮遊物は、水面域に均等に存在する訳ではなく、前記海苔摘み舟等の作業用舟艇の進行方向左右のいずれかに偏在することもある。更には、大小様々な浮遊物も混在する。
前記特許文献１記載の装置を使用した場合、浮遊物除去羽根により排除された浮遊物を収集すべく設けられた左右いずれか一方のネットのみへ収集した浮遊物が溜まったときは、収集した浮遊物が抵抗となって作業用舟艇の進路が曲がるか又は曲がりやすくなる。このような場合、その都度、作業用舟艇の進路修正を繰り返したり、収集した浮遊物を取り除いていたのでは、摘採作業の作業効率が著しく低下する。
【０００６】
（発明の目的）
そこで、本発明の目的は、水面域において収集した浮遊物が作業用舟艇の進路に影響を受けないようして作業効率低下を防止する、浮遊物除去装置を提供することにある。
【課題を解決するための手段】
【０００７】
上記目的を達成するために講じた本発明の手段は次のとおりである。
（１）本発明は、作業用舟艇の進行方向前方に配置した収集ネットを含む浮遊物収集具を用いて行う、水面域の浮遊物を収集または除去する方法であって、前記浮遊物収集具が、水面域の浮遊物を取り込む開口部を備え、取り込んだ浮遊物を捕集する捕集部と、当該捕集部の奥側中央部分に設けられている前記開口部より小さい開口部を取り入れ口として前記捕集部で捕集された浮遊物を取り入れて蓄積する蓄積部と、前記捕集部で捕集された浮遊物を前記取り入れ口側に案内する誘導要素と、を備えており、前記作業用舟艇を作業水域で進行させ、当該水面域に存在する浮遊物を捕集部で捕集し、捕集された浮遊物が直接的にまたは誘導要素によって捕集部の中央部分に集まり、浮遊物が偏って蓄積されることなく捕集部の奥の取り入れ口から蓄積部に蓄積される、水面域の浮遊物を収集又は除去する方法である。
【０００８】
（２）本発明は、水面域の浮遊物を除去する装置であって、作業用舟艇の進行方向前方に配置される主フレームと、当該主フレームに備わる浮遊物収集具と、を有し、前記浮遊物収集具は、水面域の浮遊物を取り込む開口部を備える開口部枠を有する収集具フレームと、前記開口部枠の開口部から取り込まれた浮遊物を収集する収集ネットと、を有し、当該収集ネットは、前記開口部から入った浮遊物を捕集する捕集部と、当該捕集部の中央部分に設けられている前記開口部より小さい開口部を取り入れ口として前記捕集部で捕集された浮遊物を取り入れて蓄積する蓄積部と、を有し、前記浮遊物収集具は、前記捕集部で捕集された浮遊物を前記取り入れ口側に案内する誘導要素を備える、浮遊物除去装置である。
【０００９】
前記（２）の水面域の浮遊物除去装置（以下、単に「浮遊物除去装置」という場合がある。）を作業用舟艇に取着し、船体を進行させて水面域に存在する浮遊物を収集又は除去する。このとき、水面域の浮遊物は、捕集部の中央部分に設けられている取り入れ口から蓄積部に蓄積される。つまり、浮遊物は捕集部の中央部分に集められ、浮遊物が偏って蓄積されることに由来する作業用舟艇の進行方向の不安定性が防止できる。
【００１０】
また、作業を低速且つ水面が波立つ状況下で行った場合であっても、二段階の奥行部分を有する収集ネットの最奥に位置する蓄積部内へ一度収まった浮遊物は、波の影響を受けてネット外へ再流出することがないか又は再流出しにくい。
【００１１】
（３）前記発明は、誘導要素が、収集具フレームにより張設された収集ネットの側壁であるものであってもよい。
【００１２】
前記（３）の浮遊物除去装置は、収集ネットの開口部から取り込まれた浮遊物が、誘導要素である収集ネットの側壁によって効率的に蓄積部の取り入れ口へ案内される。
【００１３】
（４）前記発明は、浮遊物が海苔網を張って養殖している海面の浮遊物であり、主フレームには、進行方向前方の海苔網の上に乗り海苔網を水面下に沈める沈下部が備わるものであってもよい。
【００１４】
前記（４）の浮遊物除去装置を作業用舟艇に取着し、漁場に張られた海苔網の長手方向へ作業用舟艇を移動させる。当該作業用舟艇は、作業者が海苔網をたぐり寄せることで進行し、進行と共に海苔網が船上へ引き上げられる。海苔網を引き上げる作業は、作業者が海苔網をたぐり寄せることで作業用舟艇を進行させて行うが、この作業は、人力で海苔網のたぐり寄せることにより船体を進行させる場合と、人力による海苔網のたぐり寄せと共にまたは単独で船外機等の推進手段を用いて船体を進行させる場合、のいずれもが含まれる。
【００１５】
浮遊物除去装置は、作業用舟艇に先立って海苔網上へ位置しているために、乗り上げ部が海苔網に乗り上げて同海苔網を一旦水面下に押し下げ、水面域の浮遊物が引き上げる海苔網に付着しないようにするか、または、海苔網に付着している浮遊物を押し下げた勢いで海苔網から分離させる。
【００１６】
作業用舟艇の進行と共に浮遊物が収集ネット内へ入って収集されると、海苔網を引き上げる領域では浮遊物が排除されていることとなる。つまり、浮遊物除去後に、浮遊物が付着していない海苔網を作業用舟艇に引き上げて摘採することとなり、摘採後の海苔原藻に異物が混入しないか又は混入しにくい。
【００１７】
また、前記（２）の浮遊物除去装置と同じく、摘採作業を低速且つ水面が波立つ状況下で行った場合であっても、一度収まった浮遊物は、波の影響を受けて収集ネット外へ再流出することがないか又は再流出しにくく、加えて、収集後の収集ネット内における浮遊物の偏在を原因とする抵抗が生じないことから当該浮遊物を原因とする作業用舟艇の進行方向の不安定性が防止されるため、ひいては摘採作業の効率低下が防止又は抑制される。
【００１８】
（５）前記発明は、主フレームが、作業用舟艇側の基部フレームと、当該基部フレームより進行方向前方でかつ下方に位置し、海苔網を水面下に沈める先部フレームと、当該先部フレームと前記基部フレームの間に介在して前記先部フレームと前記基部フレームとを接続する中間部フレームと、で構成され、前記基部フレームは、作業用舟艇または作業用舟艇に搭載された海苔摘採装置への装着手段を有し、前記先部フレームは、下面が海苔網の上を滑る滑走部と、当該滑走部後部から斜め後方に立ち上がって前記中間部フレームに向かう立ち上がり部と、を有し、前記先部フレームと中間部フレームは、折り曲げおよび真直できるように連結されており、前記基部フレームと前記中間部フレームは、分離および連結できるものであってもよい。
【００１９】
前記（５）の浮遊物除去装置によれば、乗り上げ部により水面下に押し下げられ、滑走部により海苔網が水中に押し下げられている状態の間に浮遊物が収集ネット内へ収集されるので、作業水域から浮遊物が除去されており、滑走部を経て引き上げられる海苔網に浮遊物が付着しないか又は付着しにくい。また、先部フレームと中間部フレームが折り曲げ及び真直できるように連結され、基部フレームと中間部フレームが分離及び連結できるので、使用時は組立効率が良く、不使用時は作業現場までの移送手段への積載が行いやすく、収納場所における省スペース化を図ることができる。
【００２０】
（６）前記発明は、浮遊物収集具の沈下を防止する沈下防止フロートを備え、当該沈下防止フロートは、浮遊物収集具側フロートと主フレーム側フロートで構成されており、前記浮遊物収集具側フロートは、収集具フレームに備わる収集具フレーム側ロッドに装着されており、前記主フレーム側フロートは、主フレームに備わる主フレーム側ロッドに装着されており、収集具フレーム側ロッドおよび主フレーム側ロッドは、主フレームに対して上下方向の位置が調整できるものであってもよい。
【００２１】
前記（６）の浮遊物除去装置によれば、作業用舟艇に取着する際にフロートの位置を調整し、フレームひいては浮遊物収集具が海中に大きく沈み込まないように調節できる。
【００２２】
（７）前記発明は、蓄積部のメッシュの大きさが捕集部のメッシュの大きさよりも小さいものであってもよい。
【００２３】
前記（７）の浮遊物除去装置によれば、収集した浮遊物の一部が捕集部に溜まることによる目詰まりが起きにくく、捕集部を通過する水の流れがスムーズとなるため、作業用舟艇の進路が左右にぶれないか又はぶれにくい。
【００２４】
本明細書及び本特許請求の範囲において、「誘導要素」は、例えば、収集具フレームにより張設された収集ネットの側壁が挙げられるが、これに限定するものではなく、収集具フレームに固着され、主フレーム後方へ突出し且つ基端と比べてその先部側が主フレーム内側方向に傾斜した形状に設けられた板体等、捕集部で捕集された浮遊物を取り入れ口側に案内するものであってもよい。
【発明の効果】
【００２５】
（１）本発明によれば、水面域の浮遊物が捕集部の中央部分に設けられている取り入れ口から捕集部の中央部分に集められるので、浮遊物が偏って蓄積されることに由来する作業用舟艇の進行方向の不安定性が防止できる。従って、収集した浮遊物が作業用舟艇の進路に影響を与えないか与えにくく、作業の効率低下が防止できる。
【００２６】
浮遊物を収集する収集ネットが前記捕集部及び蓄積部を有しており、作業を低速且つ水面が波立つ状況下で行った場合であっても、収集ネットの最奥に位置する蓄積部内へ一度収まった浮遊物が、波の影響を受けてネット外へ再流出することがないか又は再流出しにくい。
【００２７】
（２）誘導要素が収集具フレームにより張設された収集ネットの側壁であるものは、収集ネットの開口部から取り込まれた浮遊物が当該側壁によって効率的に蓄積部の取り入れ口へ案内される。
【００２８】
（３）主フレームに進行方向前方の海苔網の上に乗り上げて海苔網を水面下に沈下させる乗り上げ部が備わるものは、乗り上げ部が海苔網に乗り上げて同海苔網を一旦水面下に押し下げ、水面域の浮遊物が引き上げる海苔網に付着しないようにするか、または、海苔網に付着している浮遊物を押し下げた勢いで海苔網から分離させることができるので、摘採後の海苔原藻に異物が混入しないか又は混入しにくい。また、摘採作業の効率低下が防止又は抑制される。
【００２９】
（４）先部フレームに滑走部を有するものは、滑走部により海苔網が水中に押し下げられている状態の間に浮遊物が収集ネット内へ収集されるので、作業水域から浮遊物が除去されており、滑走部を経て引き上げられる海苔網に浮遊物が付着しないか又は付着しにくい。また、先部フレームと中間部フレームが折り曲げ可能且つ真直するように連結され、基部フレームと中間部フレームが分離及び連結できるものは、組立又は分解が簡単で、作業現場までの移送手段への積載が行いやすいので作業効率が良く、収納場所における省スペース化に寄与する。
【００３０】
（５）沈下防止フロートを備えるものは、作業用舟艇に取着する際にフロートの位置を調整し、フレームひいては浮遊物収集具が海中に大きく沈み込まないように調節することができる。
【００３１】
（６）蓄積部のメッシュの大きさが捕集部のメッシュの大きさよりも小さいものは、収集した浮遊物の一部が捕集部に溜まることによる目詰まりがを起きにくく、捕集部を通過する水の流れがスムーズとなるため、作業用舟艇の進行方向の不安定性が防止できる。
【図面の簡単な説明】
【００３２】
【図１】浮遊物除去装置と海苔摘取装置を組み合わせた状態を示す斜視説明図。
【図２】浮遊物除去装置を主フレームと浮遊物収集部とに分離した状態を示す斜視説明図。
【図３】浮遊物除去装置を主フレームと浮遊物収集部とに分離した状態を示す平面視説明図。
【図４】先部フレームと中間部フレームの折り曲げ前後の動きを示した側面視説明図。
【図５】図４に示した先部フレームと中間部フレームの折り曲げ部分と、同折り曲げ部分に用いるスライドロック部材の動きを示した要部拡大説明図。
【図６】前部バンパーを除いた浮遊物収集部を示しており、(ａ)は斜視説明図、(ｂ)は側面視説明図である。
【図７】浮遊物除去装置の使用状態を示しており、(ａ)は平面視説明図、(ｂ)は浮遊物除側面視説明図である。
【発明を実施するための形態】
【００３３】
本発明の実施の形態を図１ないし図７に基づき更に詳細に説明する。
図１及び図７に示すように、水面域の浮遊物除去装置１は、例えば養殖海苔の摘採の前に、作業用舟艇８（図７参照）に積載された海苔摘採装置７に取着して海苔網Ｎ周辺の海面に存在する浮遊物Ｄを収集又は除去するために使用される。なお、浮遊物除去装置１は、取付フレーム等を介して作業用舟艇８自体へ取着してもよい。
【００３４】
浮遊物除去装置１は、作業用舟艇８の進行方向前方に配置される主フレーム２と、主フレームに備わる浮遊物収集具４を有する。主フレーム２は、海苔摘採作業時おいて先部が作業用舟艇８の進行方向へ突出する形状を有する。浮遊物収集具４は、主フレーム２へ着脱可能に取り付けられている。
【００３５】
浮遊物除去装置１は、沈下防止のためのフロートを有する。フロートは、主フレーム２の先部に取着される前部フロート３１、及び浮遊物収集具４に備わる後部フロート３２を含んで構成されている（図１参照）。
【００３６】
本実施の形態において、主フレーム２は主にステンレススチール管及びステンレススチール製の棒材又は線材等の部品により形成されているが、これに限定するものではなく、例えば、構成部分の一部又は全部をアルミニウム合金等の他の金属、ＡＢＳ等の合成樹脂等の他の公知素材であってもよい。
【００３７】
本実施の形態において、前部フロート３１及び後部フロート３２として、例えば、市販されており、入手可能な、株式会社気泡材研究所の商品名ビニコンを使用することができるが、これに限定するものではなく、浮力を有する公知素材で形成されたもの又は他の浮き部材であってもよい。
以下、各部について詳述する。
【００３８】
〔主フレーム〕
主フレーム２は、基端側に位置し海苔摘採装置７へ取着する基部フレーム２１と、基部フレーム２１の先部側に位置して海苔網Ｎを海面下に押し下げる先部フレーム２２と、基部フレーム２１及び先部フレーム２２の間に位置して両フレームを連結する中間部フレーム２４と、を組み合わせて構成される。
【００３９】
（基部フレーム）
基部フレーム２１は、所要長さの直線部２１１及び当該直線部２１１の左右両端から垂下した一対の垂下部２１２を含む門型の設置体２１０と、当該設置体２１０の直線部２１１に取着された２本の筒状の接続体２１５と、を有している。本実施の形態では、前記直線部２１１の長さは、海苔摘採装置７の横幅と同じである。
【００４０】
設置体２１０は、各垂下部２１２を介して海苔摘採装置７側と連結され、各接続体２１５を介して中間部フレーム２４と接続される。
垂下部２１２は、海苔摘採装置７に設けられた有底円筒体である取着部２１３へ挿入して接続される。
【００４１】
接続体２１５は、所要長さの筒体で、先端が開口しており、基端には長手方向に対して直交する筒状の遊嵌部２１９を有している。当該遊嵌部２１９は直線部２１１に緩く嵌合しており、嵌合した箇所を中心として接続体２１５が上下方向に揺動する。当該接続体２１５は、遊嵌部２１９が設置体２１０の直線部２１１に沿って左右へスライド可能に取着されており、各接続体２１５の間には合計２つのストッパー２１６が配置されている。
【００４２】
前記ストッパー２１６は、取着部位である直線部２１１の外径よりもその内径が大きい筒状のスライド管と、当該スライド管の中心方向に形成されたネジ孔と、当該ネジ孔に螺着するネジと、を有する。当該ストッパー２１６は、接続体２１５のスライド動作を止める部材であり、各接続体２１５を作業に適した位置に移動させた後、各ストッパー２１６と遊嵌部２１９の端部を当接させてストッパー２１６のネジを締めると、直線部２１１における各ストッパー２１６の位置が固定され、これに伴って接続体２１５の左右位置も固定される。
【００４３】
接続体２１５の先端側の開口部は、中間部フレーム２４の基端が挿入される入れ子式接続部となっており、当該接続部における伸縮（換言すると、前後方向へのスライド）により、主フレーム２の長さが多少調整できる。前記の伸縮動作は、開口部の近傍のネジ２１７及びストッパー２１８により位置の固定がなされる。
【００４４】
前記ストッパー２１８は、取着部位である中間部フレーム２４の長手部２４０の外径よりもその内径が大きく当該長手部２４０をスライド可能であるスライド管と、当該スライド管の中心方向に形成されたネジ孔と、当該ネジ孔に螺着するネジと、を有する。当該ストッパー２１８は、接続体２１５に挿入された中間部フレーム２４の長手部２４０基端の伸縮動作を止める部材であり、長手部２４０を作業に適した位置に移動させた後、各ストッパー２１８と接続体２１５先端を当接させてストッパー２１８のネジを締めると、長手部２４０における各ストッパー２１８の位置が固定され、これに伴って接続体２１５の中へ長手部２４０が入っていかなくなる。更に、ネジ２１７を締めることで、接続体２１５の中から長手部２４０が抜けなくなるので、長手部２４０の伸縮動作が止まり、位置が固定される。
【００４５】
（先部フレーム）
先部フレーム２２は、ステンレス管を曲げて形成されたものであって、所要距離を隔てて並列している２本の長手部２２０と、各長手部２２０の先端を平面視でフレーム内側方向へ斜めに曲げてなる斜行部２２１と、各斜行部２２１の先端間を横架した直線状の第一横架部２２２と、前記斜行部２２１よりもやや基部寄りの各長手部２２０の間を横架した直線状の第二横架部２２３と、各長手部２２０の基部近傍間を横架した直線状の第三横架部２２４と、を含むものであって、先部側が平面視山型であり、基部側が中間部フレーム２４先端との連結部２２８となる。
【００４６】
長手部２２０は、長手方向中央の水平部分であって下面が海苔網の上を滑る滑走部２２５と、当該滑走部２２５後部から斜め後方に立ち上がって中間部フレーム２４に向かう基部側の立ち上がり部２２６と、当該滑走部２２５前部から斜め前方に立ち上がった先部側の立ち上がり部２２７と、を有している。当該先部側の立ち上がり部２２７は、第二横架部の固着箇所から曲げてあり、各斜行部２２１及び第一横架部２２２を含む部分である。
【００４７】
各長手部の滑走部２２５の中央近傍には、浮遊物収集具取着ステー２２９が立設されている。当該浮遊物収集具取着ステー２２９は、縦長の板状の部材であって、部材の上端から略中央部に至る縦方向の溝が形成されており、基端が前記滑走部２２５の上面に固着されている。当該浮遊物収集具取着ステー２２９は、前記「収集具フレーム側ロッドを主フレームに対して上下方向の位置が調整できる」ための部材に相当する。
【００４８】
先部フレーム２２は、その先部側に前部フロート取着棒２３０及び係止片２３１、前部フロート取着棒に取着する前部フロート３１、海苔網押し下げ部２３２、を有している。
【００４９】
前記前部フロート取着棒２３０は、棒体であって、各長手部２２０の斜行部２２１と第二横架部２２３の間の箇所に、相対するように固着された一対の係止片２３１を用いてスライド可能に取り付けられている。
【００５０】
前記係止片２３１は、横長の板材であって、長手方向中央に設置箇所のフレーム傾斜方向と平行（即ち、側面視で前方に向かって斜め上向き）な係止溝が形成されており、当該係止溝へ前部フロート取着棒２３０の端部が取着され、溝の形成方向へフロート取着棒２３０がスライド可能に取り付けられている。
当該係止片２３１は、前記「主フレーム側ロッドを主フレームに対して上下方向の位置が調整できる」ための部材に相当し、前部フロート取着棒２３０は前記「主フレーム側ロッド」に相当するものである。
【００５１】
前記前部フロート３１は、長円球体であって長手方向中心に貫通孔を有しており、当該貫通孔へ前部フロート取着棒２３０が挿通して、先部フレーム２２に４個が保持される。なお、本実施の形態においては、前部フロートは、フロート取着棒及び係止片を用いて主フレームに取り付けられているが、例えば、ロープやチェーン等の紐状物その他の公知の取り付け手段であってもよい。
【００５２】
前記海苔網押し下げ部２３２は、角部が円弧である側面視略Ｌ字状の棒体であり、角部を前方に突き出すようにして、上端が第一横架部２２２に固着され、下端が第二横架部２２３に固着されており、先部フレーム２２の幅方向へほぼ等間隔で合計３本が固着されている。当該海苔網押し下げ部２３１は前記「乗り上げ部」に相当するものである。
【００５３】
前記連結部２２８は、先部フレーム２２と中間部フレーム２４を折り曲げ可能に連結する部分である。当該連結部２２８は、先部フレーム２２の基端及び中間部フレーム２４先端それぞれの直径方向に形成された切欠部へ連結用の板材が嵌め入れられ軸着された、いわゆるリンク機構にしてある（図４及び図５参照）。本実施形態では、連結部の構造は前記態様であるが、これに限定するものではなく、例えば、一方の端部を他方の端部に挿入してネジ等で着脱可能に連結する等、他の公知手段であってもよい。
【００５４】
（中間部フレーム）
中間部フレーム２４は、ステンレス管を梯子状に固着しており、互いに平行に延びる２本の長手部２４０と、当該長手部の間に横架して固着された２本の短手部２４１と、各長手部の先部側に取着されるスライドロック部材２４２と、を有している。
【００５５】
各長手部２４０は、その先端が前記連結部２２８であって先部フレーム２２基端と連結されており（図５参照）、その基端が基部フレーム２１の接続体２１５先端の開口部に挿入して連結されている（図４参照）。当該長手部２４０は上部に位置する短手部の近傍に屈曲部を有し、側面視山型（換言すると、「へ」の字状）に形成されている。
【００５６】
スライドロック部材２４２は、各長手部２４０の間に取着された平面視四角形の枠状体であって、各長手部２４０に取着され、その内径が長手部２４０の外径よりも大きい一対のスライド管２４３と、当該各スライド管２４３の上下端部へ固着された合計２本の連結桿２４４と、を有する（図５参照。スライド管２４３及び連結桿２４４の符号は図５にのみ記載。）。
【００５７】
図４で示すように、前記スライドロック部材２４２は、連結部２２８において折り曲げられた状態の中間部フレーム２４を起こし、先部フレーム２２の長手部の一部である基部側の立ち上がり部２２６と中間部フレーム２４の長手部２４０が一直線になるようにすると、当該スライドロック部材２４２が下方へスライドし、前記スライド管２４３の下端が先部フレーム２２の第三横架部２２４に当たって止まる。この状態において、連結部２２８はスライドロック部材２４２のスライド管の内部に収まっているので、連結部２２８が曲がることなく先部フレーム２２の基部側の立ち上がり部２２６と中間部フレーム２４の長手部２４０が真っ直ぐな状態に保たれる。
【００５８】
〔浮遊物収集具〕
浮遊物収集具４は、開口部４０１を有するネット本体４０と、当該ネット本体を開口した状態で取着できるネット取着体４１を有しており、当該浮遊物収集具４は当該ネット取着体４１を介して主フレーム２の浮遊物収集具取着ステー２２９へ着脱可能である。なお、ここでいう開口部４０１は、前記「水面域の浮遊物を取り込む開口部」に相当し、ネット取着体４１は、前記「収集具フレーム」に相当し、ネット本体４０は、前記「収集ネット」に相当する。
【００５９】
（ネット取着体）
図２を参照する。前記ネット取着体４１は、ネット本体４０の取着枠４１１と、取着枠４１１の左右側部の前方側へ突設された側部バンパー４１２と、取着枠４１１の左右側部の後方側へ突設された張設フレーム４１３と、取着枠４１１の幅方向中間の前方側へ突設された取付フレーム４１４と、側部バンパー４１２及び取付フレーム４１４の各先端部に架け渡して固着された後部フロート取着棒４１５と、後部フロート取着棒４１５に取着された４個の後部フロート３２と、後部フロート取着棒４１５の正面側（図２において前方側）に設けられた前部バンパー４１７と、を有している。
なお、ここでいう取着枠４１１は、前記「収集具フレーム」の「開口部枠」に相当し、後部フロート取着棒４１５は、前記「収集具フレーム側ロッド」に相当する。
【００６０】
前記取着枠４１１は、棒材で形成された長方形の枠体であって、ネット本体４０の開口部４０１を拡げた状態で取着しうる寸法である。
図６に示すように、ネット本体４０とネット取着体４１との取着は、後記する開口部４０１周縁の帯状部分（符号省略）に設けられた紐孔へ紐（符号省略）を通し、当該紐を取着枠４１１に回し掛けて結着することで行う。
なお、本実施の形態では、紐による結着を行うが、これに限定するものではなく、例えば金属リング等の他の公知部材又は公知手段により置換することもできる。
【００６１】
前記側部バンパー４１２は、半円弧状の棒体であって、各端部がそれぞれ取着枠４１１の縦枠の上下端（本実施の形態では、縦枠と横枠が直角を形成する各角部分。後記張設フレーム４１３の説明において同じ意味で使用する。）に固着されている。主フレーム２の前方へ突出した側部バンパー４１２は、その基部に対して先部が主フレーム２の内側（中央側）へ向かって傾斜した形状に設けられている。
【００６２】
前記張設フレーム４１３は、半円弧状の棒体であって、各端部がそれぞれ取着枠の縦枠上下端に固着されている。主フレーム２後方へ突出した張設フレーム４１３は、その基部よりも後方側に突き出た部分が主フレーム内側（中央側）へ向かって傾斜した形状に設けられている。
なお、当該張設フレーム４１３は、ネット本体４０をネット取着体４１に取着する際に、捕集部４０２の中側に差し入れることによって、捕集部４０２の左右両側の周壁にテンションが加わり、当該部分を平らな壁状にする。当該壁状の箇所が誘導要素４２となる。
【００６３】
前記取付フレーム４１４は、各側部バンパー４１２の間に設けられた半円弧状の棒体であって、各端部がそれぞれ取着枠４１１の上下の横枠に所要間隔を開けて合計２つが固着されている。
【００６４】
前記後部フロート取着棒４１５は、取着枠４１１横幅とほぼ同じ長さの棒体であって、長手方向の所要位置（本実施の形態では、先部フレーム２２への取着時において先部フレームに設けられた浮遊物収集具取着ステー２２９と対応する位置）に合計２つの取着部４１６を有する。
【００６５】
本実施の形態においては、前記取着部４１６は、ネジ孔が設けられた切片と蝶ネジ、座金及びナットの組み合わせであって、当該切片の基端が後部フロート取着棒４１５に固着されたものであるが、これに限定するものではなく、例えば後部フロート取着棒に固着されたリング部材或いはＵ字部材と結着紐の組み合わせのような公知部材又は公知手段であってもよい。
【００６６】
前記後部フロート３２は、前記前部フロート３１と同じ構造であり、貫通孔へ後部フロート取着棒４１５が挿通し、所要間隔を開けて合計４つがネット取着体４１０に保持される。本実施形態においては、各後部フロートの位置が後部フロート取着棒両端近傍の２箇所と各取着部間の２箇所であるが、これに限定するものではなく、使用状況に応じて適宜設定しうる。
【００６７】
前記前部バンパー４１７は、半円弧状の棒体であって、各端部がそれぞれ後部フロート取着棒４１５の両端に固着されて後部フロート取着棒４１５の前方側（即ち、主フレーム２の前方側）へ突き出しており、当該前部バンパー４１７内方に先部フレーム２２先部側が収まる大きさに形成されている。
【００６８】
（ネット本体４０）
前記ネット本体４０は、開口部４０１から入った浮遊物を捕集する捕集部４０２と、当該捕集部４０２奥側の中央部分に設けられた蓄積部４０３と、当該捕集部４０２の開口部４０１周縁の帯状部分（符号省略）と、を有している。
蓄積部４０３は、前記開口部４０１より小さい開口部である奥側開口部４０４を取り入れ口として捕集部４０２で捕集された浮遊物Ｄを取り入れて蓄積するものである。
帯状部分には多数の紐孔が形成されている。
【００６９】
前記捕集部４０２は、前方（図２で示す正面側）が前記開口部４０１である側面視略半円形の箱形形状であって、直線部（略半円形の直径に当たる箇所）が主フレーム２前方側に位置する略半円の左右の両側面と、主フレーム２後方へ円弧状に膨出した部分である奥部を含む上部ないし下部の各側面と、奥側側壁の幅方向中央に開口部４０１よりも小さい開口部である奥側開口部４０４と、を有している。
前記蓄積部４０３は、前記開口部４０４奥に設けられた箱状の空間である。
【００７０】
捕集部４０２及び蓄積部４０３の各側面はそれぞれネットであり、捕集部４０２のメッシュの大きさは、蓄積部４０３のメッシュよりも目が粗い（換言すると、目が大きい）ものが使用されている。当該捕集部４０２を構成するネット部材は、市販されており、入手可能な、平岡織染株式会社の商品名ターポスクリーン＃１００３を使用している。また、蓄積部４０３を構成するネット部材は、同社の商品名ターポスクリーン＃１００４を使用している。当該ネット部材は、可撓性を有する合成樹脂製で、表面の滑りがよい。
【００７１】
本実施の形態において、ネット本体４０は、主に前記のような合成樹脂製のネットにより形成されているが、これに限定するものではなく、例えば天然繊維又は金属等の他の公知素材によるネットであってもよく、更に、ネットの表面に浮遊物が引っ掛からないように滑らかであるものが好ましい。
【００７２】
（作  用）
図１乃至図７を参照して、浮遊物除去装置１の作用を説明する。
【００７３】
〔浮遊物除去装置の組み立て〕
図５において示したように、浮遊物除去装置１は、不使用時には、浮遊物収集具４を外して分解し、主フレーム２は折り畳んだ状態で収納又は運搬される。使用時には、主フレーム２を組み立て、浮遊物収集具４を取り付けて、浮遊物除去装置１を組み立てる。
【００７４】
（主フレームの組み立て）
【００７５】
図４で示すように、連結部２２８にて折り曲げた状態の中間部フレーム２４を起こし、先部フレーム２２の基部側の立ち上がり部２２６と中間部フレーム２４の長手部２４０が一直線にすると、スライドロック部材２４２が下方へスライドしてスライド管２４３の下端が先部フレーム２２の第三横架部２２４に当たって止まる。当該状態においては、スライド管２４３内に収まった連結部２２８が曲がらなくなり、先部フレーム２２の基部側の立ち上がり部２２６と中間部フレーム２４の長手部２４０が真っ直ぐな状態に保持される。
【００７６】
主フレーム２を、基部フレーム２１の設置体２１０の取着部２１３を介して、作業用舟艇８に積載した海苔摘採装置７へ取着する。
【００７７】
主フレーム２の左右位置は、接続体２１５を基部フレーム２１の直線部２１１に沿ってスライドさせて位置を決め、ストッパー２１６のネジを締めて位置を固定する。主フレーム２の前後位置は、接続体２１５先端の開口部に中間部フレーム２４基端を挿入した際に、挿入した中間部フレーム２４を適当な長さに伸縮させ、ネジ２１７及びストッパー２１８のネジを締めて位置を固定する。なお、前記の前後の長さ又は左右位置の調整作業は、浮遊物除去装置１を作業用舟艇８に積載した海苔摘採装置７へ取着した後に行っても良い。
【００７８】
（浮遊物収集具の組み立て）
ネット本体４０をネット取着体４１に取着して、浮遊物収集具４を組み立てる。その際に、捕集部４０２の中側に張設フレーム４１３を差し入れ、テンションが加わった捕集部４０２の左右両側の周壁は平らな壁状となり、当該壁状の箇所が誘導要素４２を構成する。
【００７９】
前記浮遊物収集具４を、組み立てた主フレーム２に取り付ける。
更に詳しくは、ネット取着体４１の取着部４１６の蝶ネジを、先部フレーム２２の浮遊物収集具取着ステー２２９に形成された溝に螺着させ、浮遊物収集具取着ステー２２９の溝に沿って上下方向への固定位置の調整を行う。
次いで、前部バンパー４１７を先部フレーム２２の前側へ回し掛け、第一横架部２２２にバンドやビニルテープ等（符号省略）で留める（図１参照）。
【００８０】
組み立て後の浮遊物除去装置１を海苔摘採装置７に取着する。この際に、係止片２３１の係止溝に沿って前部フロート取着棒２３０を上下させ、前部フロート３１の位置を調整して主フレーム２（特に先部）が海中に大きく沈み込まないように調節し、浮遊物収集具４の開口部４０１の上半分程度が海面上に出るように調整する。
【００８１】
〔浮遊物除去装置の使用〕
図７を参照して、浮遊物除去装置１の使用状態を説明する。
漁場に張られた海苔網Ｎの長手方向と同一直線上へ作業用舟艇８を移動させ、作業用舟艇８の進行方向へ浮遊物除去装置１を配置して作業を開始する（図７（ａ）参照）。
【００８２】
作業用舟艇８は作業者が海苔網Ｎをたぐり寄せることで進行し、進行と共に海苔網Ｎが船上へ引き上げられる。このとき、浮遊物除去装置１は、作業用舟艇８に先立って海苔網Ｎ上へ位置し、海苔網押し下げ部２３２で海苔網Ｎ及び浮き竹Ｆを海面付近から一旦押し下げ（潜らせ）、水面域の浮遊物Ｄが海苔網Ｎに付着しないようにするか、または、海苔網Ｎに付着している浮遊物Ｄを押し下げた勢いで海苔網Ｎから分離させる。
【００８３】
作業用舟艇８の進行と共に、水面域の浮遊物Ｄがネット本体４０内へ入り、収集されるので、海苔網Ｎを引き上げる領域では浮遊物Ｄが除去されていることとなる。つまり、浮遊物Ｄの除去後に、浮遊物Ｄが付着していない海苔網Ｎを作業用舟艇８に引き上げて海苔摘採装置７で海苔原藻Ｗを摘採することとなり、艇内にある摘採後の海苔原藻Ｗ’には異物が混入していないか又は混入しにくい。
【００８４】
作業時におけるネット本体４０は、捕集部４０２左右両側面に構成された誘導要素４２により、流入した浮遊物Ｄがネット本体４０の側壁に当たっても引っ掛かることなくネット本体４０奥へ誘導（換言すると、案内）される。この結果、収集した浮遊物Ｄが、溜まると作業用舟艇８の進行方向の抵抗となりやすい箇所である捕集部４０２に溜まりにくく、捕集部４０２の側面に沿って水流で蓄積部４０３へ誘導される。なお、前記「水流」は、水面に生じる波によるもののほか、波が無い場合は船体の進行に伴って相対的に生じる水の流れも含む意味で使用している。
【００８５】
なお、ネット本体４０内へ入った浮遊物Ｄは、基本的に、直接又は誘導要素４２により誘導され奥側開口部４０４を通じて蓄積部４０３内へ収まるが、仮に捕集部４０２のいずれかの箇所に収まったとしても、捕集部４０２のメッシュが蓄積部４０３のメッシュよりも目が粗いため、収集した浮遊物Ｄの一部が捕集部４０２に溜まることによる目詰まりが起きにくい。加えて、捕集部４０２を通過する水の流れがスムーズであるため、収集後の当該浮遊物Ｄの抵抗を原因とする作業用舟艇８の進行方向の不安定性が防止できる。
【００８６】
このように、前記浮遊物除去装置１は、船体を進行させるだけで養殖海苔の摘採前に浮遊物Ｄを除去でき、収集後の浮遊物Ｄが蓄積部４０３に蓄積される。つまり、浮遊物Ｄは捕集部４０２の中央部分に集められ、浮遊物Ｄが偏って蓄積されることに由来する作業用舟艇８の進行方向の不安定性が防止できる。
【００８７】
更に、摘採作業を低速且つ水面が波立つ状況下で行った場合であっても、ネット本体４０の最奥に位置する蓄積部４０３内へ一度収まった浮遊物Ｄが、波の影響を受けてネット本体４０外へ再流出することがないか又は再流出しにくい。
【００８８】
また、前記浮遊物除去装置１は、海苔網押し下げ部２３２が海苔網Ｎ及び浮き竹Ｆの上に乗り上げる場合または作業水域に波があるような場合には、このような水面の変化に合わせて（換言すると、水面の変化に追従して）主フレーム２が接続体２１５基端の遊嵌部２１９を軸に上下動し、当該接続体２１５の動きと前部フロート３１及び後部フロート３２が協働することによって、主フレーム２が水面Ｓ下に大きく沈み込まず、浮遊物収集具４の開口部４０１の上半分程度が水面Ｓ上に出た状態に保たれる。
【００８９】
加えて、主フレーム２先端が作業用舟艇８の進路先にある障害物（例えば、海苔網を係留する吊り綱や海苔網を浮かせる浮き竹、海苔網固定用支柱等）へ当たったとしても、配置された前部バンパー４１７及び側部バンパー４１２がその形状により障害物を主フレーム２の外側へ受け流す（図７（ａ）参照）ので、主フレーム２先端の引っ掛かりが回避されて、作業時における作業用舟艇８の進行がスムーズとなる。
【００９０】
このように、浮遊物除去装置１を備えた作業用舟艇８により養殖海苔の摘採作業を行うと、当該作業の効率低下が防止又は抑制される。
【００９１】
〔浮遊物除去装置の解体〕
作業後の浮遊物除去装置１は、車両での運搬又は倉庫での収納等の便宜のために、前記〔浮遊物除去装置の組み立て〕と概ね逆の手順で分解する。
このとき、スライドロック部材２４２を上方へ引き上げて連結部２２８を露出させ（図４参照）、当該連結部２２８を先部フレーム２２側に倒すだけで、主フレーム２を折り畳むことができる（図５参照）。併せて、ネジ２１７を緩め、中間部フレーム２４を接続体２１５から抜いて分離させてもよい。
【００９２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００９３】
１  浮遊物除去装置
２  主フレーム
２１  基部フレーム
２１０  設置体
２１１  直線部
２１２  下垂部
２１３  取着部
２１５  接続体
２１６  ストッパー
２１７  ネジ
２１８  ストッパー
２１９  遊嵌部
２２  先部フレーム
２２０  長手部
２２１  斜行部
２２２  第一横架部
２２３  第二横架部
２２４  第三横架部
２２５  滑走部
２２６  基部側の立ち上がり部
２２７  先部側の立ち上がり部
２２８  連結部
２２９  浮遊物収集具取着ステー
２３０  前部フロート取着棒
２３１  係止片
２３２  海苔網押し下げ部
２４  中間部フレーム
２４０  長手部
２４１  短手部
２４２  スライドロック部材
３１  前部フロート
３２  後部フロート
４    浮遊物収集具
４０  ネット本体
４０１  開口部
４０２  捕集部
４０３  蓄積部
４０４  奥側開口部
４１  ネット取着体
４１１  取着枠
４１２  側部バンパー
４１３  張設フレーム
４１４  取付フレーム
４１５  後部フロート取着棒
４１６  取着部
４１７  前部バンパー
４２  誘導要素
７  海苔摘採装置
８  作業用舟艇
Ｄ  浮遊物
Ｎ  海苔網
Ｆ  浮き竹
Ｓ  水面
Ｗ  海苔原藻
Ｗ’摘採後の海苔原藻
【図１】
2014161288.tif 000003
【図２】
2014161288.tif 000004
【図３】
2014161288.tif 000005
【図４】
2014161288.tif 000006
【図５】
2014161288.tif 000007
【図６】
2014161288.tif 000008
【図７】
2014161288.tif 000009